(57)【要約】      （修正有）【課題】指示値を明確に表示させ、観察者の違いによる読取り誤差を無くす。【解決手段】ＬＬ（ラウドネスレベル）メ−タ１と、ＰＰ（ピ−クプログラム）メ−タ２／ＶＵ（ボリュ−ムユニット）メ−タ３とを内蔵するＬＬＭ−Ｌｏｇｇｅｒ４と、専用ソフトを搭載したパソコン５とで構成され、専用ソフトは、ＬＬＭ−Ｌｏｇｇｅｒ４より通信にて伝送されたオ−ディオレベルデ−タを記録・保存・表示処理するアプリケ−ションソフトとして使われる、専用ソフトは、グラフィカル表示部の区間選択によって、選択部は網掛け表示となり選択区間が明示される点と、選択区間のグラフ上に平均を横罫線としてレベル表示される。【選択図】図１
2007139732.tif 000002
【特許請求の範囲】
【請求項１】
ＬＬ（ラウドネスレベル）メ−タ１と、ＰＰ（ピ−クプログラム）メ−タ２／ＶＵ（ボリュ−ムユニット）メ−タ３とを内蔵するＬＬＭ−Ｌｏｇｇｅｒ装置４と、専用ソフトを搭載したパソコン５とで構成され、ＬＬＭ−Ｌｏｇｇｅｒ４より通信にて伝送されたオ−ディオレベル（ＶＵ／ＰＰ／ラウドネス）デ−タを記録・保存・表示処理するアプリケ−ションソフトとして使われる。専用ソフトとしては、１）オ−ディオレベルをパソコン上のＨＤＤに記録・保存、２）同時にオ−ディオ信号もＷＡＶファイルで記録・保存可能、３）記録デ−タファイルの管理、４）記録デ−タファイルを２時間単位で最長４８時間記録  ５）デ−タの再生・一時停止、レベルのグラフィカル表示、オ−ディオ再生が可能、６）デ−タを記録した時刻記録、再生時に記録時刻と経過時間を表示、とがあげられ、ついで、本発明の主要部分となる専用ソフトは、７）再生時グラフィカル表示部をマウスで区間選択（ドラッグ）すると、選択部は網掛け表示となり、選択区間が明示され、  ａ）選択区間のラウドネスレベル値の平均が、自動的に算出され数値表示され、また、選択区間のグラフ上に平均値を横罫線としてレベル表示することになっている。  ｂ）選択区間のデ−タ（ラウドネスレベル／ＰＰ／ＶＵ／時間）をコントロ−ルバ−上のデ−タ出力ボタンにより、ＣＳＶファイルとしてファイル出力され、とくに、グラフィカル表示部の区間選択（ドラッグ）によって、選択部は網掛け表示となり、選択区間が明示される点と、選択区間のグラフ上に平均値を横罫線としてレベル表示される点に特徴があり、また、将来の追加機能としては、８）再生時、レベル閾値を設定すると、閾値を超えたレベルのみ表示、また、選択区間のグラフ上に閾値を横罫線としてレベル表示することになっており、レベル閾値の設定で閾値を超えたレベルのみ表示され、選択区間のグラフ上に閾値を横罫線としてレベル表示されることに特徴があるオ−ディオ・ロガ。
【発明の詳細な説明】
【技術分野】
【０００１】  本発明は、放送局における番組送出に際して、番組間、番組のＣＭ間など、大きく音声レベルが変化し、視聴者が音量調整を余儀なくされることがあるが、送出番組・ＣＭの編集時、環境に左右されず、常に正確なラウドネス・レベルを計測できる測定器が必要とされたことから、ＬＬＭ（ラウドネス・レベル・モニタ）が登場し、人間が音の大きさを感じとる聴覚の仕組みを電気的にシミュレ−ションし、ほぼリアルタイムにレベルを表示できるようになった。こうしたなかで、オ−ディオレベル（ＶＵ／ＰＰ／ラウドネス）を専用ソフトでパソコン上に記録・保存、またデ−タをグラフィカルに表示とＣＳＶファイルとして出力する機能を有するものを開発したものである。
【背景技術】
【０００２】  ＬＬＭ（ラウドネス・レベル・モニタ）の登場によって、個人差によるレベルのバラツキを少なくし、さらに番組間やチャンネル間での音量に差のない、視聴者に優しい放送が実現してきたが、デジタル技術の伸展をベ−スに、日本放送協会の「音量指示装置」（特開平１１−３３７３９７）など、音量感を表示するための新しい表示器がつぎつぎに開発されてきている。【０００３】  日本放送協会の「音量指示装置」（特開平１１−３３７３９７）は、「入力音声信号を時間的に互いに重なり合うように、または重なり合わないように逐次ブロックに分割する手段と、該分割する手段により分割されたブロックごとの音声信号の音量を算出する手段と、該音量を算出する手段により算出された値のうち、現時刻から数えて過去のｎ個目のブロックまでの値のなかで値の大きなものから順にｍ個のブロックまでの値の平均値を算出する手段と、該平均値を算出する手段により算出された平均値を逐次表示する手段とを具え、ここでｎおよびｍは正の整数でｎ≧ｍなることを特徴とする音量指示装置」とされている。【０００４】  また、音声信号の音量がラウドネスレベル、ラウドネス、実効値、ＶＵ値、騒音レベルまたは音声レベルであることを特徴としている。【０００５】  入力音声信号を構成ブロック１で逐次ブロックに分割し、構成ブロック２でブロックごとの音量を算出する。次に、構成ブロック３で現時刻から数えて過去のｎ個目までの値の大きなものから順にｍ個（ただし、ｎ≧ｍ）までの値の平均値を算出し、その平均値を構成ブロック４で逐次表示する。【０００６】  また、構成ブロック４の表示値の他に構成ブロック５でピ−ク値を検出して構成ブロック４で同時に表示している。【０００７】  さらに、入力音声を構成ブロック６でディジタル信号に変換し、音声専用のＤＳＰ（ディジタルシグナルプロセッサ）を用いることによって、アルゴリズムを容易に実現できることになっている。【０００８】  また、ディジタル音声デ−タを構成ブロック１で逐次分割し、窓関数を掛け、ＦＦＴ（高速フ−リエ交換）を行い、つぎにラウドネスレベルまたはラウドネスを算出した後、指示値の算出を行っている。さらに、ディジタル音声デ−タを構成ブロック１で逐次分割し、実効値またはＶＵ値を算出した後、指示値の算出を行っている。
【発明の開示】
【発明が解決しようとする課題】
【０００９】  音声信号の音量を表示する装置として、ＶＵ（ボリュ−ムユニット）メ−タなどがあったが、観察者の違いによる読取り誤差が大きくなるという欠点があった。【００１０】  こうした欠点を解消し、指示値を明確に表示させ、観察者の違いによる読取り誤差を無くすことなどが喫緊の課題となっていた。
【課題を解決するための手段】
【００１１】  本発明の構成は、ＬＬ（ラウドネスレベル）メ−タと、ＰＰ（ピ−クプログラム）メ−タ／ＶＵ（ボリュ−ムユニット）メ−タとを内蔵するＬＬＭ−Ｌｏｇｇｅｒと、専用ソフトを搭載したパソコン（ＰＣ）とで構成され、ＬＬＭ−Ｌｏｇｇｅｒとパソコンは専用ケ−ブルで接続されている。【００１２】  発明を実施するための最良の形態として、図面に従って詳細に説明すると、図１に示すように、ＬＬ（ラウドネスレベル）メ−タ１と、ＰＰ（ピ−クプログラム）メ−タ２／ＶＵ（ボリュ−ムユニット）メ−タ３とを内蔵するＬＬＭ−Ｌｏｇｇｅｒ４と、専用ソフトを搭載したパソコン５とで構成され、ＬＬＭ−Ｌｏｇｇｅｒ４と、パソコン５は専用ケ−ブルで接続されている。【００１３】  本発明の機能を具体的に述べると、ＬＬＭ−Ｌｏｇｇｅｒ４にはラウドネスレベルメ−タ１と、ＰＰ（ピ−クプログラム）メ−タ２・ＶＵ（ボリュ−ムユニット）メ−タ３とを内蔵しているが、ＬＬＭ−Ｌｏｇｇｅｒ４はオ−ディオ（ディジタル／アナログ）信号をＶＵ／ＰＰ／ラウドネスレベルに変換、バ−表示すると同時にレベル値を通信にてＰＣに送信する機能を保持し、ラウドネスレベル変換は、ハ−ド上にファ−ムウェアとして組み込まれ、日本放送協会の「音量指示装置」（特開平１１−３３７３９７）を採用したソフトを使用することにしている。【００１４】  ラウドネスレベルメ−タ１は、ＶＵメ−タでは真の音量感が指示されないため、人間の聴感特性（高域、低域が聴こえづらい等）を考慮して、より人間の耳が感じる音量感がそのままメ−タに現れるように設計されたメ−タである。【００１５】  ＰＰ（ピ−クプログラム）メ−タ２は、入力信号の波高値を指示するメ−タで、打楽器など立ち上がりの速い音のとき、ＶＵメ−タではピ−ク値は指示されないが、ＰＰ（ピ−クプログラム）メ−タを使用するとピ−ク値が読め、電気的に無理のないレベルの設定ができるようになっている。【００１６】  ＶＵ（ボリュ−ム・ユニット）メ−タ３は、音響信号をＶｏｌｕｍｅ  Ｕｎｉｔ（音量単位）に置き換えて、人間の耳が感じる音量感に近い表示がメ−タに現れるよう設計されたメ−タである。【００１７】  本発明の専用ソフトとしては、ＬＬＭ−Ｌｏｇｇｅｒ４より通信にて伝送されたオ−ディオレベル（ＶＵ／ＰＰ／ラウドネス）デ−タを記録・保存・表示処理するアプリケ−ションソフトとして使われている。【００１８】  基本ソフトとしては、１）オ−ディオレベルをパソコン上のＨＤＤに記録・保存、２）同時にオ−ディオ信号もＷＡＶファイルで記録・保存可能、３）記録デ−タファイルの管理、４）記録デ−タファイルを２時間単位で最長４８時間記録  ５）デ−タの再生・一時停止、レベルのグラフィカル表示、オ−ディオ再生が可能、６）デ−タを記録した時刻記録、再生時に記録時刻と経過時間を表示、とがあげられる。【００１９】  ついで、本発明の主要部分となる専用ソフトは、７）再生時、グラフィカル表示部１１をマウスにて区間選択（ドラッグ）すると、選択部は、網掛け表示となり選択区間６が明示され、
ａ）選択区間６のラウドネスレベル７のレベル値の平均が、自動的に算出され数値表示され、また、選択区間６のグラフ上に平均値を横罫線８としてレベル表示することになっている。
ｂ）選択区間のデ−タ（ラウドネスレベル／ＰＰ／ＶＵ／時間）をコントロ−ルバ−上のデ−タ出力ボタンにより、ＣＳＶファイルとしてファイル出力することになっている。【００２０】  とくに、グラフィカル表示部の区間選択（ドラッグ）によって、選択部は網掛け表示となり、選択区間が明示される点と、選択区間のグラフ上に平均値を横罫線としてレベル表示される点に特徴がある。【００２１】  また、将来の追加機能としては、８）再生時、レベル閾値を設定すると、閾値を超えたレベルのみ表示、また、選択区間のグラフ上に閾値を横罫線としてレベル表示することになっており、レベル閾値の設定で閾値を超えたレベルのみ表示され、選択区間のグラフ上に閾値を横罫線としてレベル表示されることに特徴がある。【００２２】  選択区間の表示状態を図２で例示すると、再生時、グラフィカル表示部１１をマウスにて区間選択（ドラッグ）すると、選択部は、網掛け表示となり選択区間６が明示され、選択区間６のラウドネスレベル７のレベル値の平均９が、自動的に算出され数値表示され、選択区間６のグラフ上に平均値を横罫線８としてレベル表示することになっている。
【発明の効果】
【００２３】  放送局における番組送出に際して、番組間、番組・ＣＭ間など、大きく音声レベルが変化し、視聴者が音量調整を余儀なくされることがあるが、送出番組・ＣＭの編集時、環境に左右されず、常に正確なラウドネス・レベルを計測できる測定器を必要とし、ＬＬＭ（ラウドネス・レベル・モニタ）が登場し、人間が音の大きさを感じとる聴覚の仕組みを電気的にシミュレ−ションし、ほぼリアルタイムにレベルを表示できるようになった。こうしたなかで、オ−ディオレベル（ＶＵ／ＰＰ／ラウドネス）を専用ソフトでパソコン上に記録・保存、またデ−タをグラフィカルに表示とＣＳＶファイルとして出力する機能を有するものが開発された。
【産業上の利用可能性】
【００２４】  本発明によれば、放送番組間、番組・ＣＭ間の音声レベルの変動を継時的に記録でき、人手にたよった送出番組音声レベルの管理が容易になるばかりか、ブロ−ドバンド放送、インタ−ネットのコンテンツ・プロバイダ−などのレベル管理に期待がもたれている。
【図面の簡単な説明】
【００２５】
【図１】  本発明のオ−ディオ・ロガの構成図。
【図２】  本発明の選択区間の表示状態図。
【符号の説明】
【００２６】  １：ＬＬ（ラウドネスレベル）メ−タ
２：ＰＰ（ピ−クプログラム）メ−タ
３：ＶＵ（ボリュ−ムユニット）メ−タ
４：ＬＬＭ−Ｌｏｇｇｅｒ
５：パソコン
６：選択区間
７：ラウドネスレベル
８：横罫線
９：平    均
１０：平均表示
【図１】
2007139732.tif 000003
【図２】
2007139732.tif 000004